(57)【要約】【課題】本発明は機種間で階調や色彩の互換性をとるために、他機種で記録出力した調整チャートを読み取って自動階調補正の新たなターゲットを作成するデジタルカラー複合装置を提供する。【解決手段】デジタルカラー複合装置Ｆａは、ＣＭＹＫ４色のカラー画像を用紙に記録出力するプリンタ装置１１で記録出力されたＣＭＹＫ各色単色のグラデーションパッチからなる調整チャートを、カラー画像を読み取るスキャナ装置１２で読み取って、現在の各パッチの濃度・明度特性及びＬａｂ値等を把握して現在設定されているターゲットに階調補正を行うが、新たな調整チャートをスキャナ装置１２で読み取って、当該調整チャートの濃度及び明度等に基づいて新たなターゲットを作成する。したがって、別機種のデジタルカラー複合装置Ｆｂで記録出力された新たな調整チャートをスキャナ装置１２で読み取って新たなターゲットとし、色互換性を確保することができる。【選択図】　　　　　図１
2004072620.tif 000002
【特許請求の範囲】
【請求項１】
少なくともＣＭＹＫの４色のカラー画像を用紙に記録出力するカラー印刷部とカラー原稿のカラー画像をカラーで読み取るカラー読取部を備え、前記カラー印刷部で記録出力されたＣＭＹＫ各色単色のグラデーションパッチからなる調整チャートを前記カラー読取部で読み取って、現在の各パッチの濃度・明度特性及びＬａｂ値等を把握して現在設定されているターゲットに階調補正を行う自動階調補正機能を備えたデジタルカラー複合装置において、新たな調整チャートを前記カラー読取部で読み取って、当該新たな調整チャートの濃度及び明度等に基づいて新たなターゲットを作成することを特徴とするデジタルカラー複合装置。
【請求項２】
前記デジタルカラー複合装置は、前記作成した新たなターゲットを記憶手段に保存することを特徴とする請求項１記載のデジタルカラー複合装置。
【請求項３】
前記デジタルカラー複合装置は、前記自動階調補正機能で階調補正を行う際に、前記記憶手段に保存されている複数のターゲットから任意のターゲットを選択して、当該ターゲットに基づいて、階調補正を行うことを特徴とする請求項２記載のデジタルカラー複合装置。
【請求項４】
前記デジタルカラー複合装置は、前記自動階調補正機能で階調補正を行う際に、ＣＭＹＫ各色単色に他色を混合させて階調補正処理を行うことを特徴とする請求項１から請求項３のいずれかに記載のデジタルカラー複合装置。
【請求項５】
前記デジタルカラー複合装置は、前記調整チャートの画像データを適宜読出可能にチャート記憶手段に格納することを特徴とする請求項１から請求項４のいずれかに記載のデジタルカラー複合装置。
【発明の詳細な説明】
【０００１】
【発明の属する技術分野】
本発明は、デジタルカラー複合装置に関し、詳細には、機種間で階調や色彩の互換性をとるために、他機種で記録出力した調整チャートを読み取って、自動階調補正の新たなターゲットを作成するデジタルカラー複合装置に関する。
【０００２】
【従来の技術】
近時、カラーの画像を取り扱うことが一般化してきており、カラースキャナ等でカラー画像を読み取り、また、カラープリンタ等でカラー画像を記録出力することが行われている。
【０００３】
そして、本出願人は、先に、プリンタの用いる階調処理に合わせて適切な補正を行い、機種、経時でのドットの重なり具合や定着具合等の変化に伴う階調性の変化を吸収して、画像品質を向上させることのできる階調補正機能付きプリンタ装置を提案している（特開２０００−３０１７７３号公報参照）。
【０００４】
【発明が解決しようとする課題】
しかしながら、カラー画像を取り扱う機器、例えば、デジタルカラー複合装置は、その機種やメーカの違い等によって、ＣＭＹＫ（シアン・マゼンタ・イエロー・ブラック）の各色の明度や濃度特性が異なる場合が多いのが実情であり、このように機種やメーカの違いによってＣＭＹＫ各色の明度や濃度特性が異なると、機種やメーカの異なるカラー複合装置間でカラー画像データの交換を行うと、画像品質が悪化するという問題があった。特に、ネットワークを介して複数のカラー複合装置が接続されるようになってきている今日、これらのカラー複合装置間でカラー画像データの交換を行うと、画像品質が悪化するおそれがあった。
【０００５】
そこで、請求項１記載の発明は、少なくともＣＭＹＫの４色のカラー画像を用紙に記録出力するカラー印刷部で記録出力されたＣＭＹＫ各色単色のグラデーションパッチからなる調整チャートを、カラー原稿のカラー画像をカラーで読み取るカラー読取部で読み取って、自動階調補正機能で、現在の各パッチの濃度・明度特性及びＬａｂ値等を把握して現在設定されているターゲットに階調補正を行うに際して、新たな調整チャートをカラー読取部で読み取って、当該新たな調整チャートの濃度及び明度等に基づいて新たなターゲットを作成することにより、例えば、別機種で記録出力された新たな調整チャートをカラー読取部で読み取って、ＣＭＹＫ各色の明度・濃度特性によって新たなターゲットとし、別機種との色互換性を確保して、別機種との色味の違いをなくすことのできるデジタルカラー複合装置を提供することを目的としている。
【０００６】
請求項２記載の発明は、作成した新たなターゲットを記憶手段に保存することにより、自動階調補正を行うたびに、別機種で調整チャートを記録出力してカラー読取部で読み取る手間を省き、容易に別機種との色互換性を確保するとともに、複数のターゲットを保存することで、用途に応じて色見を変えることのできるデジタルカラー複合装置を提供することを目的としている。
【０００７】
請求項３記載の発明は、自動階調補正機能で階調補正を行う際に、記憶手段に保存されている複数のターゲットから任意のターゲットを選択して、当該ターゲットに基づいて、階調補正を行うことにより、容易に別機種の濃度・明度特性に合わせ、別機種との色味の違いをより一層容易になくすことのできるデジタルカラー複合装置を提供することを目的としている。
【０００８】
請求項４記載の発明は、自動階調補正機能で階調補正を行う際に、ＣＭＹＫ各色単色に他色を混合させて階調補正処理を行うことにより、トナー等の現像剤の増減だけでは補うことのできない現像剤の性質の違いによるＣＭＹＫ各色の明度・濃度特性の相違の色補正を、ＣＭＹＫ各色単色に他色の現像剤を混合させることで実現し、別機種との色互換性をより一層向上させることのできるデジタルカラー複合装置を提供することを目的としている。
【０００９】
請求項５記載の発明は、調整チャートの画像データを適宜読出可能にチャート記憶手段に格納することにより、例えば、ネットワークの端末機からプリンタドライバ等を介して容易にダウンロードできるようにして、慢性的な画像データの紛失を防止し、利用性の良好なデジタルカラー複合装置を提供することを目的としている。
【００１０】
【課題を解決するための手段】
請求項１記載の発明のデジタルカラー複合装置は、少なくともＣＭＹＫの４色のカラー画像を用紙に記録出力するカラー印刷部とカラー原稿のカラー画像をカラーで読み取るカラー読取部を備え、前記カラー印刷部で記録出力されたＣＭＹＫ各色単色のグラデーションパッチからなる調整チャートを前記カラー読取部で読み取って、現在の各パッチの濃度・明度特性及びＬａｂ値等を把握して現在設定されているターゲットに階調補正を行う自動階調補正機能を備えたデジタルカラー複合装置において、新たな調整チャートを前記カラー読取部で読み取って、当該新たな調整チャートの濃度及び明度等に基づいて新たなターゲットを作成することにより、上記目的を達成している。
【００１１】
上記構成によれば、少なくともＣＭＹＫの４色のカラー画像を用紙に記録出力するカラー印刷部で記録出力されたＣＭＹＫ各色単色のグラデーションパッチからなる調整チャートを、カラー原稿のカラー画像をカラーで読み取るカラー読取部で読み取って、自動階調補正機能で、現在の各パッチの濃度・明度特性及びＬａｂ値等を把握して現在設定されているターゲットに階調補正を行うに際して、新たな調整チャートをカラー読取部で読み取って、当該新たな調整チャートの濃度及び明度等に基づいて新たなターゲットを作成するので、例えば、別機種で記録出力された新たな調整チャートをカラー読取部で読み取って、ＣＭＹＫ各色の明度・濃度特性によって新たなターゲットとすることができ、別機種との色互換性を確保して、別機種との色味の違いをなくすことができる。
【００１２】
この場合、例えば、請求項２に記載するように、前記デジタルカラー複合装置は、前記作成した新たなターゲットを記憶手段に保存するものであってもよい。
【００１３】
上記構成によれば、作成した新たなターゲットを記憶手段に保存するので、自動階調補正を行うたびに、別機種で調整チャートを記録出力してカラー読取部で読み取る手間を省きくことができ、容易に別機種との色互換性を確保することができるとともに、複数のターゲットを保存することで、用途に応じて色見を変えることができる。
【００１４】
また、例えば、請求項３に記載するように、前記デジタルカラー複合装置は、前記自動階調補正機能で階調補正を行う際に、前記記憶手段に保存されている複数のターゲットから任意のターゲットを選択して、当該ターゲットに基づいて、階調補正を行うものであってもよい。
【００１５】
上記構成によれば、自動階調補正機能で階調補正を行う際に、記憶手段に保存されている複数のターゲットから任意のターゲットを選択して、当該ターゲットに基づいて、階調補正を行うので、容易に別機種の濃度・明度特性に合わせることができ、別機種との色味の違いをより一層容易になくすことができる。
【００１６】
さらに、例えば、請求項４に記載するように、前記デジタルカラー複合装置は、前記自動階調補正機能で階調補正を行う際に、ＣＭＹＫ各色単色に他色を混合させて階調補正処理を行うものであってもよい。
【００１７】
上記構成によれば、自動階調補正機能で階調補正を行う際に、ＣＭＹＫ各色単色に他色を混合させて階調補正処理を行うので、トナー等の現像剤の増減だけでは補うことのできない現像剤の性質の違いによるＣＭＹＫ各色の明度・濃度特性の相違の色補正を、ＣＭＹＫ各色単色に他色の現像剤を混合させることで実現することができ、別機種との色互換性をより一層向上させることができる。
【００１８】
また、例えば、請求項５に記載するように、前記デジタルカラー複合装置は、前記調整チャートの画像データを適宜読出可能にチャート記憶手段に格納するものであってもよい。
【００１９】
上記構成によれば、調整チャートの画像データを適宜読出可能にチャート記憶手段に格納するので、例えば、ネットワークの端末機からプリンタドライバ等を介して容易にダウンロードできるようにして、慢性的な画像データの紛失を防止することができ、利用性を向上させることができる。
【００２０】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２１】
図１〜図３は、本発明のデジタルカラー複合装置の一実施の形態を示す図であり、図１は、本発明のデジタルカラー複合装置の一実施の形態を適用したネットワークシステム１のシステム構成及びデジタルカラー複合装置Ｆａの一例のブロック構成を示す図である。
【００２２】
ネットワークシステム１は、ネットワークＮＷに、デジタルカラー複合装置Ｆａとこのデジタルカラー複合装置Ｆａとは別機種のデジタルカラー複合装置Ｆｂ及び複数の端末機Ｔ１〜Ｔｎが接続されており、デジタルカラー複合装置Ｆａ及びデジタルカラー複合装置Ｆｂは、ネットワークＮＷを介して各端末機Ｔ１〜Ｔｎからの印刷要求に応じて当該印刷要求の印刷データに基づいて印刷処理を行い、また、読み取った原稿の画像データを端末機Ｔ１〜Ｔｎに送信する。
【００２３】
デジタルカラー複合装置Ｆａ及びデジタルカラー複合装置Ｆｂ、特に、デジタルカラー複合装置Ｆａは、プリンタ部１１、スキャナ部１２、入出力部１３及びプリンタコントローラ１４等を備えている。
【００２４】
プリンタコントローラ１４は、プリンタＩ／Ｆ１５、スキャナＩ／Ｆ１６、入出力Ｉ／Ｆ１７、ホストＩ／Ｆ１８、ＣＰＵ（Ｃｅｎｔｒａｌ　Ｐｒｏｃｅｓｓｉｎｇ　Ｕｎｉｔ　）１９、ＲＯＭ（Ｒｅａｄ　Ｏｎｌｙ　Ｍｅｍｏｒｙ）２０、ＲＡＭ（Ｒａｎｄｏｍ　Ａｃｃｅｓｓ　Ｍｅｍｏｒｙ）２１及び自動階調補正制御部２２等を備えており、プリンタコントローラ１４の主要各部は、バス２３で接続されている。
【００２５】
プリンタ装置（カラー印刷部）１１は、プリンタコントローラ１４のプリンタＩ／Ｆ１５等に接続されており、プリンタＩ／Ｆ１５等を介してプリンタコントローラ１４やデジタルカラー複合装置Ｆａの搭載する図示しないコピアコントローラからの制御に応じて、画像印刷に関する動作を行って、スキャナ装置１２で読み取った画像、ネットワークＮＷを介して端末機Ｔ１〜Ｔｎから送られてきた画像、別機種のデジタルカラー複合装置Ｆｂから送られてきた画像等の各種画像、特に、自動階調補正用の調整チャートを用紙にＣＭＹＫの４色のカラーで記録出力する。
【００２６】
スキャナ装置（カラー読取部）１２は、プリンタコントローラ１４のスキャナＩ／Ｆ１６等に接続されており、スキャナＩ／Ｆ１６等を介してプリンタコントローラ１４やデジタルカラー複合装置Ｆａの搭載する図示しないコピアコントローラからの制御に応じて、原稿の画像の読取動作を行って、カラー原稿、特に、自動階調補正用の調整チャート３０（図２参照）をカラーで読み取る。
【００２７】
入出力装置１３は、液晶ディスプレイ、各種ボタン、タッチパネル等の操作表示部等であり、プリンタコントローラ１４の入出力Ｉ／Ｆ１７等を介してプリンタコントローラ１４やデジタルカラー複合装置Ｆａの搭載するコピアコントローラからの制御に応じて、液晶ディスプレイの表示の動作、液晶ディスプレイや各種ボタンの入力内容の各コントローラへの転送等を行う。液晶ディスプレイは、デジタルカラー複合装置Ｆａの各種状態情報や選択項目等を表示し、また、タッチパネル機能を有しており、画面上からの入力も受け付けてプリンタコントローラ１４やコピアコントローラに出力する。各種ボタンは、テンキーやデジタルカラー複合装置Ｆａの各種設定を行うための操作ボタンをも備えている。
【００２８】
プリンタＩ／Ｆ１５は、プリンタコントローラ１４とプリンタ装置１１を結ぶＩ／Ｆであり、プリンタコントローラ１４からプリンタ装置１１への制御情報の転送及び印刷モードや印刷画像データ等のプリンタ装置１１からプリンタコントローラ１４への転送等を行う。
【００２９】
スキャナＩ／Ｆ１６は、プリンタコントローラ１４とスキャナ装置１２を結ぶＩ／Ｆであり、プリンタコントローラ１４からスキャナ装置１２への制御情報の転送及びスキャナ装置１２からプリンタコントローラ１４への読取画像データ等の転送等を行う。
【００３０】
入出力Ｉ／Ｆ１７は、プリンタコントローラ１４と入出力装置１３を結ぶＩ／Ｆであり、プリンタコントローラ１４から入出力装置１３への表示制御情報の転送及び入出力装置１３での入力内容のプリンタコントローラ１４への転送等を行う。
【００３１】
ＨＯＳＴＩ／Ｆ１８には、ネットワークＮＷが接続されており、ＨＯＳＴＩ／Ｆ１８は、ネットワークＮＷを介してプリンタコントローラ１４と端末機Ｔ１〜Ｔｎ等を結ぶ。すなわち、ＨＯＳＴＩ／Ｆ１８は、端末機Ｔ１〜Ｔｎからの印刷要求や画像データ等を受信したり、端末機Ｔ１〜Ｔｎへの調整チャート３０の画像データやプリンタコントローラ１４からの制御を送信したりする。
【００３２】
ＲＯＭ２０は、デジタルカラー複合装置Ｆａの基本プログラムや後述する自動階調補正プログラム等の各種プログラム及び各種印刷モードのディザデータや各色のγデータ、その他に印刷原稿のテキスト部分の印刷に使用されるフォント等を格納している。
【００３３】
ＣＰＵ１９は、ＲＯＭ２０に格納されたプログラムに基づいて動作し、また、ＲＡＭ２１やＲＯＭ２０から必要な各種のデータを引き出して動作し、ＨＯＳＴＩ／Ｆ１８を介して受け取った画像データに基づいて、プリンタ装置１１への制御コードを演算したり、入出力装置１３の操作画面の表示や設定の各種処理、特に、プリンタ装置１１で記録出力されたＣＭＹＫ各色単色のグラデーションパッチからなる調整チャート３０をスキャナ装置１２で読み取って、現在の各パッチの濃度・明度特性及びＬａｂ値等を把握して現在設定されているターゲットに階調補正を行う自動階調補正処理等を行う。
【００３４】
ＲＡＭ２１には可変データが格納され、ＲＡＭ２１は、自動階調補正によって更新された各色のγデータや補正値、また、別機種のデジタルカラー複合装置Ｆｂで出力した調整シート３０の読み込みによって生成された複数のターゲット等を格納するのに使用され、また、ＣＰＵ１９のワークエリアとしても使用される。
【００３５】
自動階調補正制御部２２は、ＲＯＭ２０に格納されているγデータまたはＲＡＭ２１に保存されている補正値等に基づいて調整チャート３０の画像データを生成したり、スキャナ装置１２から転送された補正チャート３０の読取値とＲＡＭ２１に格納されているターゲットとの兼ね合いから新たな補正値を演算し、演算した補正値をＲＡＭ２１に保存する。
【００３６】
この調整チャート３０は、機種の異なるデジタルカラー複合装置Ｆａとデジタルカラー複合装置Ｆｂとの間での自動階調補正に用いるもので、例えば、図２に示すようなものである。図２の調整チャート３０では、ＣＭＹＫ４色が並んでおり、上から下の順に、例えば、現在の補正値の上で、０％、１０％。２０％、３０％、４０％、５０％、６０％、８０％、１００％の各濃度の階調でグラデーションパッチが作られていて、０％のパッチは、実質的に、紙の地肌である。
【００３７】
次に、本実施の形態の作用を説明する。本実施の形態のネットワークシステム１は、ネットワークＮＷに接続された機種の異なるデジタルカラー複合装置Ｆａとデジタルカラー複合装置Ｆｂの間で、自動的に階調補正を行う。
【００３８】
すなわち、ネットワークシステム１では、機種の異なるデジタルカラー複合装置Ｆａとデジタルカラー複合装置ＦｂがネットワークＮＷに接続されており、この２機種のデジタルカラー複合装置Ｆａとデジタルカラー複合装置Ｆｂの間での階調を調整するために、まず、別機種のデジタルカラー複合装置Ｆｂに端末機Ｔ１〜Ｔｎから、例えば、図２に示したような調整チャート３０を印刷データとして送信して、当該別機種のデジタルカラー複合装置Ｆｂで調整チャート３０を用紙に記録出力させる。
【００３９】
この別機種のデジタルカラー複合装置Ｆｂで用紙に記録出力された調整チャート３０をデジタルカラー複合装置Ｆａのスキャナ装置１２で読み取り、調整チャート３０の各グラデーションパッチを読み取る。
【００４０】
デジタルカラー複合装置Ｆａは、スキャナ装置１２で読み取った調整チャート３０の各グラデーションパッチのデータを自動階調補正制御部２２に転送し、自動階調補正制御部２２は、このグラデーションパッチのデータに基づいて、別機種のデジタルカラー複合装置Ｆｂの濃度・明度特性、Ｌａｂ値を把握し、ターゲットとする。
【００４１】
すなわち、自動階調補正制御部２２は、グラデーションパッチのデータに基づいて、例えば、図３に示すような濃度特性データを求める。なお、図３において、破線は、別機種のデジタルカラー複合装置Ｆｂの濃度特性を示している。
【００４２】
自動階調補正制御部２２は、この濃度特性を求める際、例えば、９箇所の濃度を元に近似値として濃度特性を求め、求めた濃度特性値が実質のターゲットとなる。
【００４３】
そして、図３の実線が、デジタルカラー複合装置Ｆａの濃度特性であり、自動階調補正制御部２２が、自動階調補正のときに、求める。
【００４４】
自動階調補正制御部２２は、求めた自機の濃度特性値を元に、調整チャート３０を読み取ることで取得したターゲットに合わせて階調の補正を行う。
【００４５】
また、デジタルカラー複合装置Ｆａは、自動階調補正機能で階調補正を行う際に、ＲＡＭ２１に保存されている複数のターゲットから任意のターゲットを選択して、当該ターゲットに基づいて、階調補正を行う。
【００４６】
さらに、デジタルカラー複合装置Ｆａは、自動階調補正機能で階調補正を行う際に、ＣＭＹＫ各色単色に他色を混合させて階調補正処理を行う。
【００４７】
そして、デジタルカラー複合装置Ｆａは、この自動階調補正制御部２２の求めたターゲットをＲＡＭ２１に保存する。
【００４８】
このように、本実施の形態のネットワークシステム１は、デジタルカラー複合装置Ｆａが、ＣＭＹＫの４色のカラー画像を用紙に記録出力するプリンタ装置１１で記録出力されたＣＭＹＫ各色単色のグラデーションパッチからなる調整チャート３０を、カラー原稿のカラー画像をカラーで読み取るスキャナ装置１２で読み取って、自動階調補正機能で、現在の各パッチの濃度・明度特性及びＬａｂ値等を把握して現在設定されているターゲットに階調補正を行うに際して、新たな調整チャート３０をスキャナ装置１２で読み取って、当該新たな調整チャート３０の濃度及び明度等に基づいて新たなターゲットを作成している。
【００４９】
したがって、例えば、別機種のデジタルカラー複合装置Ｆｂで記録出力された新たな調整チャート３０をスキャナ装置１２で読み取って、ＣＭＹＫ各色の明度・濃度特性によって新たなターゲットとすることができ、別機種との色互換性を確保して、別機種との色味の違いをなくすことができる。
【００５０】
また、本実施の形態のネットワークシステム１では、デジタルカラー複合装置Ｆａが、作成した新たなターゲットをＲＡＭ２１に保存している。
【００５１】
したがって、自動階調補正を行うたびに、別機種のデジタルカラー複合装置Ｆｂで調整チャート３０を記録出力してスキャナ装置１２で読み取る手間を省きくことができ、容易に別機種のデジタルカラー複合装置Ｆｂとの色互換性を確保することができるとともに、複数のターゲットを保存することで、用途に応じて色見を変えることができる。
【００５２】
さらに、本実施の形態のネットワークシステム１は、デジタルカラー複合装置Ｆａが、自動階調補正機能で階調補正を行う際に、ＲＡＭ２１に保存されている複数のターゲットから任意のターゲットを選択して、当該ターゲットに基づいて、階調補正を行っている。
【００５３】
したがって、容易に別機種のデジタルカラー複合装置Ｆｂの濃度・明度特性に合わせることができ、別機種のデジタルカラー複合装置Ｆｂとの色味の違いをより一層容易になくすことができる。
【００５４】
また、本実施の形態のネットワークシステム１は、デジタルカラー複合装置Ｆａが、自動階調補正機能で階調補正を行う際に、ＣＭＹＫ各色単色に他色を混合させて階調補正処理を行っている。
【００５５】
したがって、トナー等の現像剤の増減だけでは補うことのできない現像剤の性質の違いによるＣＭＹＫ各色の明度・濃度特性の相違の色補正を、ＣＭＹＫ各色単色に他色の現像剤を混合させることで実現することができ、別機種のデジタルカラー複合装置Ｆｂとの色互換性をより一層向上させることができる。
【００５６】
さらに、本実施の形態のネットワークシステム１は、デジタルカラー複合装置Ｆａが、調整チャート３０の画像データを適宜読出可能にＲＡＭ２１に格納している。
【００５７】
したがって、例えば、ネットワークＮＷの端末機Ｔ１〜Ｔｎからプリンタドライバ等を介して容易にダウンロードできるようにして、慢性的な画像データの紛失を防止することができ、利用性を向上させることができる。
【００５８】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００５９】
【発明の効果】
請求項１記載の発明のデジタルカラー複合装置によれば、少なくともＣＭＹＫの４色のカラー画像を用紙に記録出力するカラー印刷部で記録出力されたＣＭＹＫ各色単色のグラデーションパッチからなる調整チャートを、カラー原稿のカラー画像をカラーで読み取るカラー読取部で読み取って、自動階調補正機能で、現在の各パッチの濃度・明度特性及びＬａｂ値等を把握して現在設定されているターゲットに階調補正を行うに際して、新たな調整チャートをカラー読取部で読み取って、当該新たな調整チャートの濃度及び明度等に基づいて新たなターゲットを作成するので、例えば、別機種で記録出力された新たな調整チャートをカラー読取部で読み取って、ＣＭＹＫ各色の明度・濃度特性によって新たなターゲットとすることができ、別機種との色互換性を確保して、別機種との色味の違いをなくすことができる。
【００６０】
請求項２記載の発明のデジタルカラー複合装置によれば、作成した新たなターゲットを記憶手段に保存するので、自動階調補正を行うたびに、別機種で調整チャートを記録出力してカラー読取部で読み取る手間を省きくことができ、容易に別機種との色互換性を確保することができるとともに、複数のターゲットを保存することで、用途に応じて色見を変えることができる。
【００６１】
請求項３記載の発明のデジタルカラー複合装置によれば、自動階調補正機能で階調補正を行う際に、記憶手段に保存されている複数のターゲットから任意のターゲットを選択して、当該ターゲットに基づいて、階調補正を行うので、容易に別機種の濃度・明度特性に合わせることができ、別機種との色味の違いをより一層容易になくすことができる。
【００６２】
請求項４記載の発明のデジタルカラー複合装置によれば、自動階調補正機能で階調補正を行う際に、ＣＭＹＫ各色単色に他色を混合させて階調補正処理を行うので、トナー等の現像剤の増減だけでは補うことのできない現像剤の性質の違いによるＣＭＹＫ各色の明度・濃度特性の相違の色補正を、ＣＭＹＫ各色単色に他色の現像剤を混合させることで実現することができ、別機種との色互換性をより一層向上させることができる。
【００６３】
請求項５記載の発明のデジタルカラー複合装置によれば、調整チャートの画像データを適宜読出可能にチャート記憶手段に格納するので、例えば、ネットワークの端末機からプリンタドライバ等を介して容易にダウンロードできるようにして、慢性的な画像データの紛失を防止することができ、利用性を向上させることができる。
【図面の簡単な説明】
【図１】本発明のデジタルカラー複合装置の一実施の形態を適用したネットワークシステムのシステム構成及びデジタルカラー複合装置のブロック構成を示す図。
【図２】図１のデジタルカラー複合装置の自動階調補正で用いる調整チャートの一例の平面図。
【図３】図２の調整チャートのパッチデータに基づいて求められる濃度特性データとデジタルカラー複合装置の濃度特性データの一例を示す図。
【符号の説明】
１　ネットワークシステム
ＮＷ　ネットワーク
Ｆａ　デジタルカラー複合装置
Ｆｂ　別機種のデジタルカラー複合装置
Ｔ１〜Ｔｎ　端末機
１１　プリンタ部
１２　スキャナ部
１３　入出力部
１４　プリンタコントローラ
１５　プリンタＩ／Ｆ
１６　スキャナＩ／Ｆ
１７　入出力Ｉ／Ｆ
１８　ホストＩ／Ｆ
１９　ＣＰＵ
２０　ＲＯＭ
２１　ＲＡＭ
２２　自動階調補正制御部
２３　バス
【図１】
2004072620.tif 000003
【図２】
2004072620.tif 000004
【図３】
2004072620.tif 000005